(57)【要約】【課題】  簡単なシステムで複数の記憶媒体に記録されているポイントを使用してコンテンツを購入することができるコンテンツ提供システムを提供する。【解決手段】  サーバは、顧客識別情報に対応付けて、１人の顧客が所有する複数のポイント記憶媒体の媒体識別情報と、複数のポイント記憶媒体にそれぞれ付与されたポイントの合計である累計ポイント数とを管理し、クライアントから媒体識別情報と未加算ポイント数とを受信し、受信した媒体識別情報に対応する累計ポイント数に、受信した未加算ポイント数を加算する。クライアントは、ポイント記憶媒体から媒体識別情報と未加算ポイント数とを取得し、サーバに送信し、ポイント記憶媒体に記録されている未加算ポイント数を０に初期化する。クライアントは、累計ポイント数に応じてコンテンツを購入する。【選択図】図１
2012088820.tif 000002
【特許請求の範囲】
【請求項１】
顧客識別情報に対応付けて、１人の顧客が所有する複数のポイント記憶媒体の媒体識別情報と、複数のポイント記憶媒体にそれぞれ付与されたポイントの合計である累計ポイント数とを管理する顧客管理手段と、
前記ポイント記憶媒体から前記媒体識別情報と前記未加算ポイント数とを取得する取得手段と、
取得した前記媒体識別情報に対応する前記累計ポイント数に、取得した前記未加算ポイント数を加算する更新手段と、
前記ポイント記憶媒体に記録されている前記未加算ポイント数を０に初期化する未加算ポイント更新手段と、
前記累計ポイント数に応じてコンテンツを購入する購入手段とを備える、コンテンツ提供システム。
【請求項２】
サーバと、店舗端末と、前記サーバに接続可能なクライアントとを備え、
前記サーバが、
顧客識別情報に対応付けて、１人の顧客が所有する複数のポイント記憶媒体の媒体識別情報と、複数のポイント記憶媒体にそれぞれ付与されたポイントの合計である累計ポイント数とを管理する顧客管理手段と、
前記クライアントから前記媒体識別情報と未加算ポイント数とを受信する受信手段と、
受信した前記媒体識別情報に対応する前記累計ポイント数に、受信した前記未加算ポイント数を加算する更新手段とを有し、
前記店舗端末が、
前記ポイント記憶媒体に未加算ポイントを加算するポイント加算手段と、
前記クライアントが、
前記ポイント記憶媒体から前記媒体識別情報と前記未加算ポイント数とを取得する取得手段と、
取得した前記媒体識別情報と前記未加算ポイント数とを前記サーバに送信する送信手段と、
前記ポイント記憶媒体に記録されている前記未加算ポイント数を０に初期化する未加算ポイント更新手段と、
前記累計ポイント数に応じてコンテンツを購入する購入手段とを有する、コンテンツ提供システム。
【請求項３】
請求項２に記載のコンテンツ提供システムにおける前記サーバであって、
顧客識別情報に対応付けて、１人の顧客が所有する複数のポイント記憶媒体の媒体識別情報と、複数のポイント記憶媒体にそれぞれ付与されたポイントの合計である累計ポイント数とを管理する顧客管理手段と、
前記クライアントから前記媒体識別情報と未加算ポイント数とを受信する受信手段と、
受信した前記媒体識別情報に対応する前記累計ポイント数に、受信した前記未加算ポイント数を加算する更新手段とを有する、サーバ。
【請求項４】
請求項３に記載のサーバの各手段をコンピュータに実行させる、サーバプログラム。
【請求項５】
請求項２に記載のコンテンツ提供システムにおける前記クライアントであって、
前記ポイント記憶媒体から前記媒体識別情報と前記未加算ポイント数とを取得する取得手段と、
取得した前記媒体識別情報と前記未加算ポイント数とを前記サーバに送信する送信手段と、
前記ポイント記憶媒体に記録されている前記未加算ポイント数を０に初期化する未加算ポイント更新手段と、
前記累計ポイント数に応じてコンテンツを購入する購入手段とを有する、クライアント。
【請求項６】
請求項５に記載のクライアントの各手段をコンピュータに実行させる、クライアントプログラム。
【発明の詳細な説明】
【技術分野】
【０００１】
本発明は、コンテンツ提供システムに関する。
【背景技術】
【０００２】
インターネットを利用し音楽コンテンツを配信するサービスが普及してきている。この普及に伴い、音楽コンテンツをプレゼント対象とした配信も行われている。一般的な配信方法として、印刷物等の広告媒体に記載されたＵＲＬやＱＲコードから特定のＷＥＢサイトにアクセスし、コンテンツをダウンロードする方法が提供されている。これはストリーミング再生、ダウンロード再生いずれにも利用可能な形態になっているので、インターネットに接続できるクライアントであれば、特別な機能は不要である。しかし、特定のＷＥＢサイトへ接続するために、ユーザによる入力操作（ＵＲＬの入力／内蔵カメラを用いたＱＲコードの読み取りなど）が必要であり、簡易性という点で劣る。
【０００３】
また、音楽コンテンツ配信と別の流行として、エコ（エコロジー）への取り組みがある。エコバッグの持参や、マイカップ／マイ箸を利用することで、廃棄物となっていた買い物袋等の包装材や使い捨て食器の消費量を低減することを目的としている。この取り組みに対して、従来はスタンプなどによるポイント加算と、その合計ポイント数に基づいたプレゼントや、商品の割引などが行われている。
【０００４】
このサービスを広く普及させるために、リユース包装、リユース食器の利用に応じて加算されたポイントを使用して、音楽コンテンツを購入できるサービスが考えられる。例えば、リユース包装、リユース食器にＩＣカードを内蔵し、店舗側が利用の度にＩＣカードにポイントを記録する。客は、ＰＣや携帯電話を用いて、ポイントを使用して音楽コンテンツを購入する。
【０００５】
ここで、エコへの取り組みにつながるリユース包装／リユース食器は、エコバック、タンブラー、マイ箸など多くの種類が存在し、客一人が複数のリユース包装／リユース食器を所有することが考えられる。このような場合に、それぞれについて個別にポイント加算や音楽コンテンツの購入が行われる形態では、この取り組みの普及に対して障害となる。
【０００６】
下記特許文献１〜３には複数のポイントを統合するシステムが記載されている。しかし、これらの文献では、各ポイントサービスがそれぞれサービス管理サーバにより管理されており、新規導入の際は、店舗あるいは店舗グループがポイントサービス享受者の情報を保有するためのサービス管理サーバを設ける必要が生じる。
【先行技術文献】
【特許文献】
【０００７】
【特許文献１】WO2003/065262
【特許文献２】特開2004-234081号公報
【特許文献３】特開2005-50260号公報
【発明の概要】
【発明が解決しようとする課題】
【０００８】
本発明は上記従来の課題を解決するためになされたものであり、その目的は、顧客がポイントを記録するための記憶媒体を複数所有する場合にも、簡単なシステムで複数の記憶媒体に記録されているポイントを統合して使用しコンテンツを購入することができるコンテンツ提供システムを提供することである。
【課題を解決するための手段】
【０００９】
本発明の好ましい実施形態によるコンテンツ提供システムは、顧客識別情報に対応付けて、１人の顧客が所有する複数のポイント記憶媒体の媒体識別情報と、複数のポイント記憶媒体にそれぞれ付与されたポイントの合計である累計ポイント数とを管理する顧客管理手段と、前記ポイント記憶媒体から前記媒体識別情報と前記未加算ポイント数とを取得する取得手段と、取得した前記媒体識別情報に対応する前記累計ポイント数に、取得した前記未加算ポイント数を加算する更新手段と、前記ポイント記憶媒体に記録されている前記未加算ポイント数を０に初期化する未加算ポイント更新手段と、前記累計ポイント数に応じてコンテンツを購入する購入手段とを備える。
【００１０】
本発明の好ましい実施形態によるコンテンツ提供システムは、サーバと、店舗端末と、前記サーバに接続可能なクライアントとを備え、前記サーバが、顧客識別情報に対応付けて、１人の顧客が所有する複数のポイント記憶媒体の媒体識別情報と、複数のポイント記憶媒体にそれぞれ付与されたポイントの合計である累計ポイント数とを管理する顧客管理手段と、前記クライアントから前記媒体識別情報と未加算ポイント数とを受信する受信手段と、受信した前記媒体識別情報に対応する前記累計ポイント数に、受信した前記未加算ポイント数を加算する更新手段とを有し、前記店舗端末が、前記ポイント記憶媒体に未加算ポイントを加算するポイント加算手段と、前記クライアントが、前記ポイント記憶媒体から前記媒体識別情報と前記未加算ポイント数とを取得する取得手段と、取得した前記媒体識別情報と前記未加算ポイント数とを前記サーバに送信する送信手段と、前記ポイント記憶媒体に記録されている前記未加算ポイント数を０に初期化する未加算ポイント更新手段と、前記累計ポイント数に応じてコンテンツを購入する購入手段とを有する。
【発明の効果】
【００１１】
顧客がポイントを記録するための複数の記憶媒体を所有する場合にも、簡単なシステムで複数の記憶媒体に記録されているポイントを使用してコンテンツを購入することができるコンテンツ提供システムを提供することができる。店舗端末としては、ポイント記憶媒体にポイントを加算するだけでよく、複雑なシステムを導入する必要がないので、当該サービスへの参加に対する障害が少ない。
【図面の簡単な説明】
【００１２】
【図１】本発明の好ましい実施形態によるコンテンツ提供システムを示すブロック図である。
【図２】曲リストを示す図である。
【図３】顧客管理テーブルを示す図である。
【図４】コンテンツ提供システムの処理を示すフローチャートである。
【図５】コンテンツ提供システムの処理を示すフローチャートである。
【図６】コンテンツ提供システムの処理を示すフローチャートである。
【図７】コンテンツ提供システムの処理を示すフローチャートである。
【図８】コンテンツ提供システムの処理を示すフローチャートである。
【発明を実施するための形態】
【００１３】
以下、本発明の好ましい実施形態について図面を参照して説明するが、本発明はこれらの実施形態には限定されない。図１は、本実施形態によるコンテンツ提供システムを示すブロック図である。コンテンツは、オーディオ（音楽、曲）データ、ビデオデータ、ピクチャデータの総称であるが、本例では、曲ファイルである。
【００１４】
コンテンツ提供システムは、サーバ１０と、１又は複数の店舗端末２５と、１又は複数の顧客クライアント３０とを備える。サーバ１０は、各店舗を経営する事業者またはその代行者によって管理、運営される。店舗端末２５は各店舗に設置される。顧客クライアント３０は、客の宅内に設置されるＰＣ等の装置、又は、客が所持する携帯電話等である。サーバ１０と顧客クライアント３０とは、インターネット等の任意の電気通信回線（ネットワーク）を介して接続可能である。
【００１５】
客は、店舗で商品を購入する際にポイントを付与するための複数のポイント記憶媒体（以下、ＩＣカードという。）を所有する。ＩＣカードは、例えば、リユース可能な食器、包装等の任意のものに内蔵されていてもよい。ポイントには、未加算ポイントと累計ポイントとが存在する。未加算ポイントは、店舗において各ＩＣカードに付与され、かつ、累計ポイントに未だ加算されていないポイントである。累計ポイントは、複数のＩＣカードの未加算ポイントが加算されたポイントである。累計ポイントを使用することによって、客はコンテンツを購入することができる。
【００１６】
店舗端末２５は、店舗にて客が商品を購入する際に、例えば購入金額に応じてＩＣカードに未加算ポイントを加算する。顧客クライアント３０は、客が所有する複数のＩＣカードから媒体識別情報（以下、ＩＣカード識別情報という。）と未加算ポイント数の情報とを取得する。顧客クライアント３０は、取得したＩＣカード識別情報と未加算ポイント数の情報とをサーバ１０に送信する。その後、顧客クライアント３０は、ＩＣカードに記録されている未加算ポイント数を０に初期化する。
【００１７】
サーバ１０は、顧客の顧客識別情報に対応付けて、１人の顧客が所有する複数のＩＣカードのＩＣカード識別情報と、複数のＩＣカードにそれぞれ付与された未加算ポイントの合計である累計ポイント数とを管理する。サーバ１０は、顧客クライアント３０からＩＣカード識別情報と未加算ポイント数とを受信すると、受信したＩＣカード識別情報に対応する累計ポイント数に、受信した未加算ポイント数を加算して、更新する。
【００１８】
顧客クライアント３０は、累計ポイント数に応じてサーバ１０からコンテンツを購入することができる。なお、顧客毎の累計ポイント数を管理するポイント管理サーバと、累計ポイントによってコンテンツを販売するコンテンツ販売サーバとが別個で存在してもよい。この場合に、ポイント管理サーバの機能を有するアプリケーションプログラムが、顧客クライアントとしてのＰＣ内にインストールされていてもよい。つまり、ポイント管理サーバと顧客クライアントはＰＣ内で通信を行い、ポイント管理サーバとコンテンツ販売サーバとがインターネット経由で通信することとなる。
【００１９】
以下、図面を参照して、詳細に説明する。サーバ１０は、ＨＤＤ等の任意の記憶媒体１１と、制御部１２と、ＲＯＭ、ＲＡＭ等のメモリ１３と、通信部１４とを概略備える。
【００２０】
ＨＤＤ１１には、顧客クライアント３０に送信（販売）するためのオーディオファイル（以下、曲データという。）が蓄積されている。また、ＨＤＤ１１には、ＨＤＤ１１に格納されている曲の情報の一覧である曲リストが保存されている。曲リストの一例を図２に示す。曲リストは、曲識別情報に対応付けて、曲名とアーティスト名と必要ポイント数とを含む。
【００２１】
ＨＤＤ１１には、図３に示す顧客管理テーブルが格納されている。顧客管理テーブルは、各顧客が所有する複数のＩＣカードと、累計ポイントとを対応付けて管理するテーブルである。顧客管理テーブルは、顧客の顧客識別情報に対応付けて、複数のＩＣカード識別情報と、累計ポイント数と、最終更新日時とが登録される。
【００２２】
図１に戻って、制御部１２は、メモリ１３に格納されているプログラムに基づいて、サーバ１０の各部を制御するものであり、マイコンやＣＰＵ等である。制御部１２は、顧客クライアント３０から受信したＩＣカード識別情報と未加算ポイント数の情報に基づいて、顧客管理テーブルの累計ポイント数の登録内容を更新する。通信部１４は、顧客クライアント３０の通信部３３とインターネット経由で通信し、各コマンドや情報を送受信する。
【００２３】
店舗端末２５は、制御部２６と、ＲＯＭ、ＲＡＭ等のメモリ２７と、ＩＣカード処理部２８とを概略備える。制御部２６は、メモリ２７に格納されているプログラムに基づいて、店舗端末２５の各部を制御するものであり、マイコンやＣＰＵ等である。ＩＣカード処理部２８は、店舗で客が商品を購入する際に、購入金額に応じたポイントを未加算ポイントとしてＩＣカードに記録（加算）する。
【００２４】
顧客クライアント３０は、制御部３１と、ＲＯＭ、ＲＡＭ等のメモリ３２と、通信部３３と、ＨＤＤ等のコンテン記憶部３４と、ＩＣカード処理部３５とを概略備える。
【００２５】
制御部３１は、メモリ３２に格納されているプログラムに基づいて、顧客クライアント３０の各部を制御するものであり、マイコンやＣＰＵ等である。ＩＣカード処理部３５は、ＩＣカードから、ＩＣカード識別情報と未加算ポイント数の情報とを読み出す。制御部３１は、ＩＣカード識別情報と未加算ポイント数の情報とをサーバ１０に送信し、サーバ１０に未加算ポイントを累計ポイントに加算させる。通信部３３は、サーバ１０の通信部１４とインターネット経由で通信し、各コマンドや情報を送受信する。ＨＤＤ３４は、累計ポイントを使用してサーバ１０から購入した曲ファイルを記憶する。
【００２６】
以上の構成を有するコンテンツ提供システムについてその動作を説明する。図４は、客が店舗で商品を購入する際の店舗端末２５の処理を示すフローチャートである。客が店舗で商品を購入するため店員によって商品購入情報が入力される際（Ｓ１０１でＹＥＳ）、店員がＩＣカードをＩＣカード処理部２８に接触または近接させることによって、ＩＣカード処理部２８は、ＩＣカードと通信し、購入金額に応じたポイント数を未加算ポイントとしてＩＣカードに記録させる（Ｓ１０２）。
【００２７】
図５は、未加算ポイントを累計ポイントに加算する際の顧客クライアント３０の処理を示すフローチャートである。図６は、図５に対応するサーバ１０の処理を示すフローチャートである。
【００２８】
客が顧客クライアント３０のＩＣカード処理部３５にＩＣカードを接触又は近接させることによって、ＩＣカード処理部３５はＩＣカードと通信し、ＩＣカードから、ＩＣカード識別情報と未加算ポイント数の情報とを読み出して、制御部３１に受け渡す（Ｓ１１１）。
【００２９】
顧客クライアント３０の制御部３１は、インターネット経由でサーバ１０に接続し、ＩＣカード識別情報と未加算ポイント数の情報とをサーバ１０に送信する（Ｓ１１２）。サーバ１０の制御部１２は、顧客クライアント３０と接続し、顧客クライアント３０からＩＣカード識別情報と未加算ポイント数の情報とを受信して、メモリ１３に一時的に保存する（Ｓ２０１でＹＥＳ）。
【００３０】
サーバ１０の制御部１２は、受信したＩＣカード識別情報に対応する累計ポイント数を顧客管理テーブルから特定する。制御部１２は、特定した累計ポイント数に、受信した未加算ポイント数を加算するように、顧客管理テーブルを更新する（Ｓ２０２）。例えば、図３において、受信したＩＣカード識別情報がカードＩＤ１Ｂであれば、その累計ポイント数が２５１０であると特定される。そして、受信した未加算ポイント数が２０であれば、新たな累計ポイント数は２５３０に更新される。制御部１２は、更新された累計ポイント数をインターネット経由で顧客クライアント３０に送信する（Ｓ２０３）。
【００３１】
顧客クライアント３０の制御部３１は、更新後の累計ポイント数をサーバ１０から受信したか否かを判断しており（Ｓ１１３）、受信した場合（１１３でＹＥＳ）、ＩＣカード処理部３５がＩＣカードと通信し、受信した累計ポイント数をＩＣカードに記録させる（Ｓ１１４）。ＩＣカードに記録されている累計ポイント数の情報は、サーバ１０に記録されている累計ポイント数のバックアップや、累計ポイントの証明として使用される。さらに、ＩＣカード処理部３５がＩＣカードと通信し、ＩＣカードに記録されている未加算ポイント数を０に初期化する（Ｓ１１４）。
【００３２】
図７は、累計ポイントを使用して曲を購入する際の顧客クライアント３０の処理を示すフローチャートである。図８は、図７に対応するサーバ１０の処理を示すフローチャートである。
【００３３】
客が顧客クライアント３０のＩＣカード処理部３５にＩＣカードを接触又は近接させることによって、ＩＣカード処理部３５はＩＣカードと通信し、ＩＣカードから、ＩＣカード識別情報を取得する。制御部３１は、取得したＩＣカード識別情報をインターネット経由でサーバ１０に送信する（Ｓ１２１）。あるいは、制御部３１は、予め顧客クライアント３０に登録されている顧客識別情報をサーバ１０にインターネット経由で送信してもよい。
【００３４】
サーバ１０の制御部１２は、顧客クライアント３０から顧客識別情報又はＩＣカード識別情報を受信したか否かを判断しており（Ｓ２１１）、受信した場合（Ｓ２１１でＹＥＳ）、メモリ１３に一時的に保存する。制御部１２は、受信した顧客識別情報又はＩＣカード識別情報に対応する累計ポイント数を顧客管理テーブルから取得する（Ｓ２１２）。続いて、制御部１２は、必要ポイント数と累計ポイント数との関係を照会することによって、累計ポイントで購入可能な曲リストをＨＤＤ１１から取得する（Ｓ２１３）。制御部１２は、累計ポイント数の情報と曲リストとをインターネット経由で顧客クライアント３０に送信する（Ｓ２１４）。
【００３５】
顧客クライアント３０の制御部３１は、サーバ１０から累計ポイント数の情報と曲リストとを受信したか否かを判断しており（Ｓ１２２）、受信した場合（Ｓ１２２でＹＥＳ）、累計ポイント数と曲リストとを図示しない表示装置に表示させる（Ｓ１２３）。
【００３６】
制御部１２は、客の操作によって、曲リストから所望の曲が選択され、購入指示が入力されたか否かを判断している（Ｓ１２４）。入力された場合（Ｓ１２４でＹＥＳ）、制御部１２は、選択された曲の識別情報（又は、曲名とアーティスト名との組合せでもよい。）を含む購入指示をインターネット経由でサーバ１０に送信する（Ｓ１２５）。
【００３７】
サーバ１０の制御部１２は、曲の購入指示を受信したか否かを判断しており（Ｓ２１５）、受信した場合（Ｓ２１５でＹＥＳ）、制御部１２は、選択された曲ファイルをＨＤＤ１１から取得して、インターネット経由で顧客クライアント３０に送信する（ダウンロードする）（Ｓ２１６）。制御部１２は、曲の購入に応じて顧客管理テーブルの累計ポイント数を減算するように更新し、更新後の累計ポイント数をインターネット経由で顧客クライアント３０に送信する（Ｓ２１７）。
【００３８】
顧客クライアント３０の制御部３１は、サーバ１０から購入した曲ファイルを受信したか否かを判断しており（Ｓ１２６）、受信した場合（Ｓ１２６でＹＥＳ）、受信した曲ファイルをＨＤＤ３４に記録させる（Ｓ１２７）。制御部３１は、サーバ１０から更新後の累計ポイント数の情報を受信したか否かを判断しており（Ｓ１２８）、受信した場合（Ｓ１２８でＹＥＳ）、ＩＣカード処理部３５はＩＣカードに更新後の累計ポイントを記録する（Ｓ１２９）。
【００３９】
以上の処理によって、簡単なシステムによって１人の顧客が所有する複数のＩＣカードに付与されたポイントを累計ポイントに加算して、累計ポイントを使用して、コンテンツを購入することができる。
【００４０】
以上、本発明の好ましい実施形態を説明したが、本発明はこれらの実施形態には限定されない。顧客クライアントは、家庭内に設置されるクライアントに限定されず、ポータブルオーディオ機器や携帯電話等の可搬型のものでもよく、公共施設に設置され顧客識別情報を入力可能な公共クライアントであってもよい。サーバ１０、店舗端末２５、顧客クライアント３０の上記各動作をコンピュータに実行させるためのプログラムおよびこれを記録した記録媒体という形態で提供されてもよい。
【産業上の利用可能性】
【００４１】
本発明は、飲食店等の店舗に関連するコンテンツ提供システム等に好適に採用され得る。
【符号の説明】
【００４２】
１０              サーバ
２５              店舗端末
３０              顧客クライアント
【図１】
2012088820.tif 000003
【図２】
2012088820.tif 000004
【図３】
2012088820.tif 000005
【図４】
2012088820.tif 000006
【図５】
2012088820.tif 000007
【図６】
2012088820.tif 000008
【図７】
2012088820.tif 000009
【図８】
2012088820.tif 000010